(57)【要約】      （修正有）【課題】防音性を向上し、雨水や塵埃等が内部に侵入することを低減する。【解決手段】ベース１４と、ベース１４上のポンプ部１ａと、接続配管が接続されるポンプ部１ａの配管接続口３１，３２と、ベース１４と組み合わされるポンプカバー１０と、を備え、ポンプカバー１０は、配管接続口３１，３２を遮らないようにポンプカバー凹部１３が形成されており、ポンプカバー凹部１３の両側の上下方向にポンプカバー内面リブが形成されている。【選択図】図１
2017190750.tif 000002
【特許請求の範囲】
【請求項１】
ベースと、
該ベース上のポンプ部と、
接続配管が接続される前記ポンプ部の配管接続口と、
前記ベースと組み合わされるポンプカバーと、を備え、
該ポンプカバーは、前記配管接続口を遮らないようにポンプカバー凹部が形成されており、
該ポンプカバー凹部の両側の上下方向にポンプカバー内面リブが形成されていることを特徴とするポンプ装置。
【請求項２】
請求項１において、
羽根車が内部に位置するケーシングと、
該ケーシングに固定されて配管接続口を有するケーシングカバーと、を備え、
前記ポンプカバー内面リブと前記ケーシングカバーとの間に隙間を設けたことを特徴とするポンプ装置。
【請求項３】
請求項１又は２において、前記ベースのベースリブと、前記ケーシングカバーのケーシングカバーリブと、を備え、
前記ベースリブと前記ケーシングカバーリブは、ポンプカバー凹部に沿って上下方向に設けられていることを特徴とするポンプ装置。
【発明の詳細な説明】
【技術分野】
【０００１】
本発明は、ポンプ装置に関するものである。
【背景技術】
【０００２】
本技術分野の背景技術として、特開平９−２９６７８０号公報（特許文献１）がある。特許文献１には、段落０００２に「従来のポンプ装置２９は、ポンプヘッド部５４，電動機１０，タンク６０と、それらを支持するポンプベース５６等で構成されている。そして、吸込水用，吐出水用，圧力水用の通水路はケ−シング５３に設けられ、特に深井戸用ポンプの場合は、ケーシング５３内部に吐出水通路２２が設けられ、ケーシング５３の通水路部に圧力調整装置１７が直結されている。」、段落０００３に「ポンプヘッド部５４及び電動機１０等を蓋うポンプカバー３０には、外部からの吸込管，吐出管，圧力管とポンプ装置２９の吸込フランジ、吐出フランジ、圧力フランジとを接続するための切欠き部３１を設けているのが一般的である。」と記載がある。
【先行技術文献】
【特許文献】
【０００３】
【特許文献１】特開平９−２９６７８０号公報
【発明の概要】
【発明が解決しようとする課題】
【０００４】
前記の如く、従来のポンプ装置はポンプカバーに切欠き部を設けているのが一般的である。そのため、電動機等の運転音が切り欠き部の隙間から漏れることで、騒音が大きくなることがあった。また、切り欠き部の隙間から、雨水や塵埃等が内部に侵入することがあった。
【０００５】
そこで本発明は、防音性を向上し、雨水や塵埃等が内部に侵入することを低減したポンプ装置の提供を目的とする。
【課題を解決するための手段】
【０００６】
上記課題を解決するために、本発明は、ベースと、該ベース上のポンプ部と、接続配管が接続される前記ポンプ部の配管接続口と、前記ベースと組み合わされるポンプカバーと、を備え、該ポンプカバーは、前記配管接続口を遮らないようにポンプカバー凹部が形成されており、該ポンプカバー凹部の両側の上下方向にポンプカバー内面リブが形成されていることを特徴とする。
【発明の効果】
【０００７】
本発明によれば、防音性を向上し、雨水や塵埃等が内部に侵入することを低減することができる。
【図面の簡単な説明】
【０００８】
【図１】本発明の一実施例に係るポンプ装置の斜視図であり、ポンプカバーをベースから外した状態の図である。
【図２】本発明の一実施例に係るもので、ポンプ装置の横断面を電動機側から見た図である。
【図３】本発明の一実施例に係るもので、ポンプカバー内面リブを示したポンプ装置の部分断面図である。
【図４】本発明の一実施例に係るもので、ポンプ装置内の発熱部品を冷却する空気の流れを示した図である。
【図５】本発明の一実施例に係るもので、ポンプカバーの縦断面図である。
【図６】本発明の一実施例に係るもので、ポンプ装置に吸込管及び圧力管を取付けた斜視図である。
【発明を実施するための形態】
【０００９】
以下、本発明の一実施例であるポンプ装置について、図面を参照して説明する。なお、本実施例は代表的なポンプとして渦巻きポンプを例示するが、渦巻きポンプに限定されるものではない。
【００１０】
図１は、本発明の一実施例に係るポンプ装置の斜視図であり、ポンプカバーをベースから外した状態の図である。
ポンプ装置１は、ポンプ構成部品が載置されるベース１４と、使用水量の急変による圧力変化を緩和する圧力タンク２と、ポンプ装置１を駆動する電動機３と、電動機３の回転数を変速させてポンプ装置１を制御する制御基板４（制御部）と、制御基板４と通信線で接続されて、ポンプ装置１の吐出圧力値の表示や運転圧力等の設定切り替え操作できる表示部５と、電動機３と接続して水に運動量を与える羽根車１５が内部に位置するケーシング１７と、ケーシング１７の背面に載置されたポンプ装置１の流量を検出する流量センサ２８と、圧力を略直線的に検出する圧力センサ８と、ポンプ装置１の圧力水の圧力を設定した圧力に保つコントロールバルブ９と、を備えている。
【００１１】
これら圧力タンク２、電動機３、制御基板４（制御部）、表示部５、ケーシング１７、流量センサ２８、圧力センサ８及びコントロールバルブ９（これらを「ポンプ部１ａ」と称する。なお、全ての構成部品を備えているものに限定されず、一部の構成部品がなくてもよい。）は、ベース１４上に配置されて、ベース１４に組み合わされるポンプカバー１０で覆われる。
【００１２】
羽根車１５と案内羽１６が位置するケーシング１７には、吸込口３１（配管接続口）を形成する吸込口フランジ１９と、圧力口３２（配管接続口）を形成する圧力口フランジ２０とを有するケーシングカバー１８が、ボルト等の締結手段で固定されている。なお、図１に示すケーシングカバー１８は、内部構造を説明するために右上を部分的にカットした状態であるが、実際はケーシング１７の外形寸法と略同等の外形寸法であり、その全周が所定間隔でボルト等の締結手段で固定されている。
【００１３】
ポンプ装置１は、ポンプ駆動用の電動機３を運転することによりポンプ動作が行われる。まず、ケーシング１７上部に備わる呼び水給水用栓２４を外して呼び水を給水し、ケーシング１７内を呼び水で満たした状態として、電動機３を運転することにより揚水運転を行う。
【００１４】
吸込口３１から揚水された水の大部分は、コントロールバルブ９により圧力口３２を通りジェットポンプ（図示しない）に送水され、残りの水が吐出口３３（図２参照）へと導かれる。
【００１５】
次に、図２を用いて、揚水が吐出口３３に導かれる流れを説明する。図２は、本発明の一実施例に係るもので、ポンプ装置の縦断面図である。揚水された水はケーシング１７を出てセンサ継手３０、流量センサ２８、コントロールバルブ９を介して吐出口３３に導かれる。これにより、水の汲み上げが可能となる。
【００１６】
一方、かかる揚水運転時に吐出口３３から先の吐出配管（図示しない）につながる流路が閉じられると、吐出配管から下流側の圧力が上がる。この圧力上昇を圧力センサ８（図１参照）が検知し、且つ流量センサ２８（図１，２参照）で検出した流量が規定値以下の場合、電動機３の運転を停止する。これにより、水の汲み上げが停止する。
【００１７】
次に、図３〜図５を用いて本発明の構造について説明する。図３は、ポンプカバー内面リブ３９を示したポンプ装置の部分断面図である。ポンプカバー内面リブ３９は、ポンプカバー凹部１３の両側であって、ケーシングカバー１８に対向する面に上下方向に設けられている。ポンプカバー内面リブ３９は、圧力口３２、吐出口３３の前方投影を遮らないように、ケーシングカバー１８とポンプカバー１０の隙間を埋めるように配置される。これにより、ポンプカバー凹部１３からのポンプ運転音の漏れや外部からの雨水や塵埃等の侵入を低減することができる。
【００１８】
なお、ポンプカバー内面リブ３９とケーシングカバー１８は近接しているが、隙間δを形成している。仮に隙間δを設けない場合、ポンプカバー内面リブ３９とケーシングカバー１８が干渉し合い、運転時の振動により異音が発生する。また、ポンプ装置１の発熱部品により熱せられた空気（図４で詳述）を外部に効率よく放出することが困難である。
【００１９】
図４は、ポンプ装置内の発熱部品を冷却する空気の流れを示した図である。図３の説明で述べたように、ポンプ装置は電動機３や制御基板４等の発熱部品を有している。これらは、モータ外扇ファン４２により、ベース１４底部のベース凹部４０から導かれた外気４１を矢印４３方向に送ることで冷却され、熱せられた空気はポンプカバー内面リブ３９と、ケーシングカバー１８の隙間δより外部へと放出される。
【００２０】
次に、図５はポンプカバーの縦断面図である。図６はポンプ装置に吸込管３４、圧力管３５を接続した図である。
ポンプ装置には接続配管３４，３５内の水及び井戸内に設置されたジェット部を含めた水源側の加重（図６の矢印４７方向に係る荷重）が印加されるため、ポンプ装置破損につながる場合がある。
そこで本実施例では、ベース１４及びケーシングカバー１８に設けた各々のケーシングカバーリブ４９、ベースリブ５０により、矢印４７で表現した荷重を支持することでケーシングカバー１８やケーシング１７等の部品に荷重が集中しない構造としている。更に、ケーシングカバーリブ４９、ベースリブ５０は、ポンプカバー凹部１３に沿って上下方向に設けられているため、ポンプカバー内面リブ３９と同様に、ポンプカバー凹部１３からのポンプ運転音の漏れや外部からの雨水や塵埃等の侵入を低減することができる。
【符号の説明】
【００２１】
１…ポンプ装置、１ａ…ポンプ部、２…圧力タンク、３…電動機、４…制御基板、５…表示部、８…圧力センサ、９…コントローラバルブ、１０…ポンプカバー、１１…防音カバー、１３…ポンプカバー凹部、１４…ベース、１５…羽根車、１６…案内羽、１７…ケーシング、１８…ケーシングカバー、１９…吸込口フランジ、２０…圧力口フランジ、２４…呼び水給水用栓、２８…流量センサ、３０…センサ継手、３１…吸込口、３２…圧力口（配管接続口）、３３…吐出口（配管接続口）、３４…吸込管（接続配管）、３５…圧力管（接続配管）、３９…ポンプカバー内面リブ、４０…凹部、４１…外気、４２…外扇ファン、４９…ケーシングカバーリブ、５０…ベースリブ、δ…隙間
【図１】
2017190750.tif 000003
【図２】
2017190750.tif 000004
【図３】
2017190750.tif 000005
【図４】
2017190750.tif 000006
【図５】
2017190750.tif 000007
【図６】
2017190750.tif 000008